(57)【特許請求の範囲】
【請求項１】
内側壁部が断面視で下方拡がりの傾斜状に形成された側板と、扉と、を少なくとも有する引出し内の前記扉の裏面に、固定具によって固定される収納部材であって、
前記収納部材は、前記側板の内側壁部に沿うように外側壁部が傾斜状に形成されたサイドキャップを備え、
前記固定具は、前記側板の内側壁部のうち、もっとも内側に位置する最内端部よりも、外側位置において前記サイドキャップに取り付けられていることを特徴とする収納部材。
【請求項２】
前記固定具は、前記側板の上端部よりも下方位置に取り付けられていることを特徴とする請求項１に記載の収納部材。
【請求項３】
前記収納部材は、前記起立壁部と底壁部とを有し、押出し材により断面視略凵字状に形成された収納部本体と、
前記収納部本体とは別体で形成されたサイドキャップと、 が組み付けることにより構成されていることを特徴とする請求項１または２に記載の収納部材。
【請求項４】
前記固定具は、ユリアネジであることを特徴とする請求項１に記載の収納部材。
【請求項５】
内部に収納部材が取り付けられた引出しキャビネットであって、前記収納部材として請求項１から４のいずれかに記載の収納部材が用いられていることを特徴とする引出しキャビネット。 
【発明の詳細な説明】
【技術分野】
【０００１】
本発明は、キッチンなどの引出しに取り付けられる収納部材および該収納部材を備えた引出しキャビネットに関するものである。
【背景技術】
【０００２】
従来、キッチンなどの引出しの扉の裏面に、収納部材が取り付けられた構成は知られている。例えば、図７（ａ）に示すように、収納部材５１に引っ掛け部５２を設け、これを引出し３の扉４の裏面に設けた受け部材５３に引っ掛ける構成が知られている。
【０００３】
また、引出しの扉の壁面に取り付け可能な棚枠部材と、収納物を下方から支持するために棚枠部材に取り付けられる棚部材とを備え、収納物の背の高さに応じて棚の高さを切り換えることができる収納棚が知られている（特許文献１参照）。
【０００４】
本発明者らは、本発明の開発過程において、図７（ｂ）に示すように、収納部材６１の収納部本体６２にサイドキャップ６３を装着し、収納空間６５側に延びるサイドキャップ６３の内壁部６４の一部において、ユリアネジ１６で引出し３の扉４の裏面に収納部材６１を固定する構成（本明細書では比較例という）を想到した。
【先行技術文献】
【特許文献】
【０００５】
【特許文献１】特開２００９−２０１６４５号公報
【発明の概要】
【発明が解決しようとする課題】
【０００６】
図７（ａ）に示すように収納部材５１に引っ掛け部５２を設け、これを扉４の裏面に設けた受け部材５３に引っ掛ける構成は、部品点数が多くなり、また、引っ掛け部５２と受け部材５３の分だけ、引出し３の奥行き方向の収納スペースが少なくなるという問題がある。
【０００７】
特許文献ｌに記載の収納部材（収納棚）は、比較的大型に形成された左右の取付部によって扉の裏面に固定され、しかもこの取付部は、収納部材の収納領域の一部に位置する構成であるので、収納部材の収納領域のスペースが減り、収納容量が減つてしまうという問題がある。
【０００８】
図７（ｂ）に示す比較例の構成は、ユリアネジ１６で扉４の裏面に固定するサイドキャップ６３の内壁部６４は、収納部材６１の収納空間６５の一部であり、ここにユリアネジ１６などの固定具を設けると、物品の収納容量が低減するだけでなく、収納物品がユリアネジ１６に引っ掛かったりして、収納や出し入れにおいて好ましくはない。
【０００９】
本発明は、上記従来技術および比較例等における問題点を解決することを目的とし、 収納容量に影響しない固定手段によって引出しキャビネット内に固定された収納部材およびこれを備えた引出しキャビネットを実現することを課題とする。
【課題を解決するための手段】
【００１０】
本発明は上記課題を解決するために、内側壁部が断面視で下方拡がりの傾斜状に形成された側板と、扉と、を少なくとも有する引出し内の前記扉の裏面に、固定具によって固定される収納部材であって、  前記収納部材は、前記側板の内側壁部に沿うように外側壁部が傾斜状に形成されたサイドキャップを備え、前記固定具は、前記側板の内側壁部のうち、もっとも内側に位置する最内端部よりも、外側位置において前記サイドキャップに取り付けられていることを特徴とする収納部材を提供する。
【００１１】
前記固定具は、前記側板の上端部よりも下方位置に取り付けられていることが好ましい。
【００１２】
前記収納部材は、前記起立壁部と底壁部とを有し、押出し材により断面視略凵字状に形成された収納部本体と、前記収納部本体とは別体で形成されたサイドキャップと、が組み付けることにより構成されていることが好ましい。
【００１３】
前記固定具は、ユリアネジであることが好ましい。
【００１４】
本発明は上記課題を解決するために、上記特徴を有する収納部材が内部に取り付けられた引出しキャビネットを提供する。
【発明の効果】
【００１５】
本発明によれば、断面視で下方拡がりの傾斜状に形成された引出しの側板の上方であって、非収納空問部となっている部位に、収納部材と扉との固定具を取り付ける構成としたので、収納容量を減らすことなく、収納部材を引出しキャビネットの扉の裏面に固定することができる。
【図面の簡単な説明】
【００１６】
【図１】本発明に係る収納部材及び該収納部材を備えた引出しキャビネットの実施例を説明する図であり、（ａ）は収納部材の斜視図であり、（ｂ）は引出しキャビネットの斜視図である。
【図２】上記実施例の引出しとサイドキャップとの関係を示す図であり、図１のＡ−Ａ方向に見た図である。
【図３】上記実施例の収納部材を説明する図であり、（ａ）は収納部本体を説明する側面図であり、（ｂ）は（ａ）の要部（雌ねじ部）の拡大図であり、ユリアネジをねじ込んだ場合のユリアネジを２点鎖線で示す。
【図４】上記実施例のサイドキャップを説明する図であり、（ａ）は斜視図であり、（ｂ）は（ａ）の矢印Ｂ方向から見た図である。
【図５】上記実施例のサイドキャップを説明する図であり、（ａ）はサイドキャップを図４（ａ）、（ｂ）のＡ方向から見た図であり、（ｂ）は図４（ａ）のＣ方向、図４（ｂ）のＢ方向から見た図であり、（ｃ）は図４（ｂ）のＣ−Ｃ断面図である。
【図６】上記実施例を説明する図であり、（ａ）は引出しの扉を後方から見た斜視図であり、（ｂ）はサイドキャップを収納部本体に取り付けた状態を示す斜視図である。
【図７】（ａ）は収納部材を引出しの扉の裏面に取り付ける従来技術を説明する図であり、（ｂ）は収納部材を引出しの扉の裏面に取り付ける比較例の構成を説明する図である。
【発明を実施するための形態】
【００１７】
本発明に係る収納部材および該収納部材を備えた引出しキャビネットを実施するための形態を実施例に基づき図面を参照して、以下説明する。
【実施例】
【００１８】
本発明に係る収納部材および該収納部材を備えた引出しキャビネットの実施例を図１〜６を参照して説明する。図１（ａ）、（ｂ）は、本発明に係る収納部材１および収納部材１を取り付けた引出しキャビネット２の実施例の斜視図であるが、図１（ｂ）に示すように、収納部材１は、引出しキャビネット２の引出し３の扉４の裏面に取り付けられて使用される。
【００１９】
本明細書では、引出しキャビネット２の引出し３を、図１（ｂ）の矢印Ｆに示すように、その前方から正面視した際に、引出しキャビネット２の手前側を前方とし、奥行き方向を後方とし、左右を左右方向とする。
【００２０】
引出し３は、図１（ｂ）に示すように、左右の側板８、底板９および扉４を少なくとも有する。側板８における内側壁部１０は、図２に示すように、断面視で下方拡がりの傾斜状に形成されている（下方に向かうに従って引出し３の内側に向けて傾斜している）。
【００２１】
扉４の裏面の左右端に近い部分には、図６（ａ）に示すように、収納部材１を扉４の裏面に固定する固定具を螺着する位置決め具１４が埋設されている。この位置決め具１４は、樹脂製でドーナッツ型に形成され、その中心に金属製の雌ネジ１５が装着されている。なお、固定具としては、本実施例では、ユリアネジ１６を用いる。
【００２２】
収納部材１は、図１（ａ）に示すように、収納空間１７を形成する収納部本体１９と、収納部本体１９の左右の端部にそれぞれ取り付けられるサイドキャップ２０と、を備えている。
【００２３】
収納部本体１９は、図３（ａ）、（ｂ）に示すように、前後の起立壁部２３および底壁部２４とを有し、押出し材により断面視略 凵字状に形成されている。収納空間１７は、前後の起立壁部２３の間などに仕切り部材２５を取り付けることによって適宜を複数の小空間に分割して使用することができる。
【００２４】
収納部本体１９には、ネジ２８をねじ込むための雌ネジ部２９が、図３（ａ）、（ｂ）に示すように、開放部３０を備え断面視で円弧状に形成されている。開放部３０は、前後の起立壁部２３に、それぞれの互いに対向する内側面に形成されている。そして、雌ねじ部部２９の円弧部が円周の半分より大きく、開放部３０は円周の半分以下となるように形成されている。
【００２５】
サイドキャップ２０は図４（ａ）に示すが、その側面は（収納部材１を引出し３に取り付けた状態で側方から見た面）、図４（ｂ）に示すように全体的に矩形である。サイドキャップ２０の外側壁部３３の下部は、図２、図５（ａ）〜（ｃ）に示すように、側板８の内側壁部１０に沿うように傾斜状に形成されている。
【００２６】
サイドキャップ２０の前後上下には、収納部本体１９に固定するためのネジ２８を挿入するネジ材取り付け孔３４が貫通孔として形成されている。このネジ材取り付け孔３４にネジ２８を挿入して、収納部本体１９の雌ネジ部２９にねじ込む。そのために、ネジ材取り付け孔３４の中心と雌ネジ部２９の円弧部の中心とが対応するように形成されている。
【００２７】
サイドキャップ２０の前後には、図４（ａ）、（ｂ）に示すように、それぞれ前壁３７および後壁３８が形成されており、それぞれの上端部には、互いに対向するように内側に折り返し部３９が形成されている。サイドキャップ２０を収納部本体１９に取り付けると、折り返し部３９内に、起立壁部２３の端部が数ミリだけ挿入されるように形成されている（図２参照）。
【００２８】
サイドキャップ２０の前壁３７および後壁３８から、図２、図４（ａ）、図５（ａ）〜（ｃ）、図６（ｂ）に示すように、収納部本体１９側に延びる内壁部４２が形成されている。この内壁部４２は、収納部本体１９の前後の起立壁部２３の内側面に内接する。
【００２９】
サイドキャップ２０の前壁３７の下部において、側板８の内側壁部１０のうち、もっとも内側に位置する最内端部４３よりも、外側位置にネジ通し孔４４が形成されている。ここで重要なことは、ネジ通し孔４４は、サイドキャップ２０の内壁部４２ではなく、その外側に位置する前壁３７に形成されている点である。
【００３０】
収納部材１において、サイドキャップ２０の前壁３７および後壁３８の間の下部であって、側板８の傾斜した内側壁部１０の最内端部４３より外側の空間は、物品を収納できない非収納空間４５（デッドスペース）である。
【００３１】
この非収納空間４５に対応する前壁３７にネジ通し孔４４を形成し、このネジ通し孔４４にユリアネジ１６を挿入し、扉４裏面に設けられた位置決め具１４の雌ネジ１５にねじ込み、図６（ｂ）に示すように、収納部材１を扉４の裏面へ固定するという、非収納空間４５の有効活用の図ることができる構成が本発明の特徴である。
【００３２】
（作用）
上記実施例の収納部材１および該収納部材１を取り付けた引出しキャビネット２の作用について、収納部材１の組み立て、収納部材１の引出しキャビネット２への取り付けなどを含めて以下説明する。
【００３３】
収納部材１の組み立てをするために、サイドキャップ２０を収納部材１の前後の起立壁部２３に嵌合する。この嵌合に際しては、サイドキャップ２０の前後の内壁部４２を、それぞれ前後の起立壁部２３の端部の内側面に当接させるとともに、サイドキャップ２０の折り返し部３９内に起立壁部２３の端部を数ミリ挿入する（図２参照）。
【００３４】
そして、ネジ２８を、サイドキャップ２０のネジ材取り付け孔３４に挿入し、収納部本体１９の起立壁部２３に形成された雌ネジ部２９にねじ込む。これにより、図１（ａ）に示すように、サイドキャップ２０は、収納部本体１９の端部に取り付けられる。
【００３５】
収納部材１を引出し３の扉４の裏面に取り付けるためには、ユリアネジ１６をサイドキャップ２０の前壁３７に形成されたネジ通し孔４４に挿入し、扉４の位置決め具１４の雌ネジ１５にねじ込む。これによって、収納部材１を引出しの扉４の裏面に固定することができる。
【００３６】
ところで、前記のとおり、サイドキャップ２０の前壁３７および後壁３８の間であって、側板８の内側壁部１０の最内端部４３よりも外側の空間は、物品を収納できない非収納空間４５である。
【００３７】
本発明では、ユリアネジ１６を挿入するネジ通し孔４４は、この非収納空間４５の位置において、サイドキャップ２０の前壁３７に形成されているので、非収納空間４５を有効活用して、ユリアネジ１６により収納部材１を扉４の裏面に固定することができる。
【００３８】
前記比較例の構成にように、ユリアネジ１６用のネジ通し孔をサイドキャップ２０の内壁部４２に設け、そのネジ通し孔にユリアネジ１６を挿入して扉４の裏面に固定する構成も考えられる。しかしながら、そのような構成にすると、収納部材１の収納空間１７にユリアネジ１６の頭が突出し、物品が引っ掛かったりして収納しにくくなり、物品の収納量も低減させ、また、収納空間にユリアネジ１６の頭が露出するので、見栄えも悪くなる。
【００３９】
しかしながら、本発明では、収納部材１のユリアネジ１６による扉４の裏面への固定を、内壁部４２ではなく、非収納空間４５において前壁３７にネジ通し孔４４を設けて行う構成としたので、収納を阻害したり、収納量を低減させるなどの悪影響が生じることがなくなり、また見栄えも損なわない。
【００４０】
また、収納部材１を扉４の裏面に固定する固定具としてユリアネジ１６を使用したので、ドライバ等の工具を使用することなく、収納部材１を扉４の裏面に、手で簡単に取付け、取り外しすることが可能である。
【００４１】
なお、本発明では、収納部材１は、前後の起立壁部２３と底壁部２４を有し、押出し材により断面視略凵字状に形成された収納部本体１９に、その端部から収納部本体１９とは別体で形成されたサイドキャップ２０を嵌合し、ネジ２８で固定することにより、容易に組み立てることが可能である。
【００４２】
以上、本発明に係る収納部材および該収納部材を備えた引出しキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４３】
本発明に係る収納部材および該収納部材を備えた引出しキャビネットは上記のような構成であるから、キッチンの引出しキャビネットだけでなく、家具用、事務用、生産現場用など各種の引出しキャビネットにも適用可能である。
【符号の説明】
【００４４】
１  収納部材
２  引出しキャビネット                         
３  引出し                                     
４  扉                                         
８  側板                                       
９  底板                                       
１０  側板の内側壁部                           
１４  位置決め具                               
１５  雌ネジ                                   
１６  ユリアネジ                               
１７  収納空間                                 
１９  収納部本体                               
２０  サイドキャップ                           
２３  起立壁部                                 
２４  底壁部                                   
２５  仕切り部材                               
２８  ネジ                                     
２９  雌ネジ部                                 
３０  雌ネジ部の開放部                         
３３  サイドキャップの外側壁部                 
３４  ネジ材取り付け孔                         
３７  サイドキャップの前壁                     
３８  サイドキャップの後壁                     
３９  前壁および後壁の折り返し部               
４２  サイドキャップの内壁部                   
４３  側板の内側壁部の最内端部                 
４４  ネジ通し孔                               
４５  非収納空間 
５１  収納部材
５２  引っ掛け部
５３  受け部材
６１  収納部材
６２  収納部本体
６３  サイドキャップ
６４  サイドキャップの内壁部
６５  収納空間
【図１】
0006396787.tif 000002
【図２】
0006396787.tif 000003
【図３】
0006396787.tif 000004
【図４】
0006396787.tif 000005
【図５】
0006396787.tif 000006
【図６】
0006396787.tif 000007
【図７】
0006396787.tif 000008